(57)【要約】【課題】綴じ穴を開けた書類等の被綴じ物を簡単に綴じることができ、しかも、被綴じ物がスムーズにリングに沿って移動して閲覧をし易い綴じ具を提供する。【解決手段】この考案の綴じ具は、第１のリング１２と第２のリング１４とが、被綴じ物に形成された２穴に対応して、間隔をおいて互いに平行を保つ状態にて連結体２０に連設された、綴じ具１０であって、第１のリング１２および第２のリング１４を構成する一方のリング部２２と他方のリング部２４とは、リングの一部を構成し且つ一方のリング部２２にヒンジ部３０，３２を介して他方のリング部２４が開閉自在に連設された、綴じ具である。【選択図】　　　図１
0003097109.tif 000002
【実用新案登録請求の範囲】
【請求項１】
第１のリングと第２のリングとが、被綴じ物に形成された２穴に対応して、間隔をおいて互いに平行を保つ状態にて連結体に連設された、綴じ具であって、
前記第１のリングおよび第２のリングを構成する一方のリング部と他方のリング部とは、リングの一部を構成し且つ一方のリング部にヒンジ部を介して他方のリング部が開閉自在に連設された、綴じ具。
【請求項２】
前記第１のリングおよび前記第２のリングは、リングの一部を構成する第１のリング部と、リングの一部を構成する第２のリング部とを備え、
前記第１のリング部の一端から半径方向に凸部が突き出し形成され且つ第２のリング部の一端から半径方向に凸部が突き出し形成されるとともに、前記第１のリング部側の凸部と前記第２のリング部側の凸部とが、ヒンジ部を介して連結され、
連結体が、前記第１のリングおよび第２のリングの第１のリング部に形成された凸部間および／または第２のリング部に形成された凸部間に架設され、
前記第１のリング部および第２のリング部の他端には突き合わせ部が形成され、前記突き合わせ部には固定部が形成され、
前記固定部は、第１のリング部と第２のリング部のうち一方に嵌合孔が形成され且つ他方に嵌合凸部が形成されてなり、
前記第１のリング部と第２のリング部とを、前記ヒンジ部を中心として回動することにより、第１のリング部の端部と第２のリング部の端部の突き合わせ部が接離することによって、開閉されるように構成された、請求項１に記載の綴じ具。
【請求項３】
前記第１のリングおよび前記第２のリングは、略々半環状の第１のリング部と略々半環状の第２のリング部とによって構成され、
前記第１のリング部の一端から半径方向に凸部が突き出し形成され且つ第２のリング部の一端から半径方向に凸部が突き出し形成されるとともに、前記第１のリング部側の凸部と前記第２のリング部側の凸部とが、ヒンジ部を介して連結されるとともに、該第１のリング部の一端と該第２のリングの一端とは密に接合されるように形成され、
連結体は、前記第１のリングの凸部と第２のリングの凸部間に架設されるとともに、該１対の連結体が同形の棒状で１対の連結体の端部に形成されたヒンジ部を介して連結され且つ１対の連結体間のヒンジ部が、第１のリング部および第２のリング部より突き出し形成された凸部間のヒンジ部と連続するように形成され、
前記第１のリング部の他端と第２のリング部の他端には突き合わせ部が形成され、該突き合わせ部は、該第１のリング部の他端と該第２のリング部の他端とが密に接合されるように形成され且つ該突き合わせ部には固定部が形成され、
前記固定部は、第１のリング部と第２のリング部のうち一方に嵌合孔が形成され且つ他方に嵌合凸部が形成されてなり、
前記突き合わせ部には、第１のリングおよび／または第２のリングを開けるときに容易に開けることができるようにするための凹部および／または突起部が形成され、
第１のリングと第２のリング、第１のリング部と第２のリング部間に形成されたヒンジ部および第１のリングと第２のリングとを連結する連結体が、合成樹脂で一体成形され、
前記第１のリング部と第２のリング部とを、前記ヒンジ部を中心として回動することにより、第１のリング部の端部と第２のリング部の端部の突き合わせ部が接離することによって、開閉されるように構成された、請求項１または請求項２に記載の綴じ具。
【考案の詳細な説明】
【０００１】
【考案の属する技術分野】
この考案は、リングにより書類等の被綴じ物を綴じる綴じ具に関し、特にたとえば８０ｍｍピッチの２穴の綴じ穴を開けた書類等を綴じるに好適なリングを備えた綴じ具に関する。
【０００２】
【従来の技術】
従来金属製あるいは合成樹脂製のリングがあり、そのリングを使用し簡易に綴じる方法が一般的に行われている。
たとえば金属製リングは、環状のリング部材が回動軸を枢軸として開閉自在に形成され、回動軸とは反対側に形成されたリング部の先端において係合固定して、リングより書類等の被綴じ物が外れることがないように構成されている。
【０００３】
【考案が解決しようとする課題】
ところが、たとえば８０ｍｍピッチの２穴の綴じ穴を開けた書類を綴じる場合、２本の独立した金属製または合成樹脂製のリングをそれぞれ綴じ穴に嵌挿して綴じることとなるが、このリングは、それぞれが独立しているため、綴じ穴の中で金属製または合成樹脂製のリングが自由に動き、リングを常に平行に保つことができない。
したがって、これらのリングに沿って書類をめくるときには、リングに沿って書類を動かし難い、すなわち、リングに沿って書類を回転させ難い。そのために、書類等の綴じ穴を傷めやすいという問題がある。
【０００４】
それゆえに、この考案の主たる目的は、綴じ穴を開けた書類等の被綴じ物を簡単に綴じることができ、しかも、被綴じ物がスムーズにリングに沿って移動して閲覧をし易い綴じ具を提供することである。
【０００５】
【課題を解決するための手段】
この考案の請求項１にかかる綴じ具は、第１のリングと第２のリングとが、被綴じ物に形成された２穴に対応して、間隔をおいて互いに平行を保つ状態にて連結体に連設された、綴じ具であって、第１のリングおよび第２のリングを構成する一方のリング部と他方のリング部とは、リングの一部を構成し且つ一方のリング部にヒンジ部を介して他方のリング部が開閉自在に連設された、綴じ具である。
この考案の請求項２にかかる綴じ具は、第１のリングおよび第２のリングは、リングの一部を構成する第１のリング部と、リングの一部を構成する第２のリング部とを備え、第１のリング部の一端から半径方向に凸部が突き出し形成され且つ第２のリング部の一端から半径方向に凸部が突き出し形成されるとともに、第１のリング部側の凸部と第２のリング部側の凸部とが、ヒンジ部を介して連結され、連結体が、第１のリングおよび第２のリングの第１のリング部に形成された凸部間および／または第２のリング部に形成された凸部間に架設され、第１のリング部および第２のリング部の他端には突き合わせ部が形成され、突き合わせ部には固定部が形成され、固定部は、第１のリング部と第２のリング部のうち一方に嵌合孔が形成され且つ他方に嵌合凸部が形成されてなり、第１のリング部と第２のリング部とを、ヒンジ部を中心として回動することにより、第１のリング部の端部と第２のリング部の端部の突き合わせ部が接離することによって、開閉されるように構成された、請求項１に記載の綴じ具である。
この考案の請求項３にかかる綴じ具は、第１のリングおよび第２のリングは、略々半環状の第１のリング部と略々半環状の第２のリング部とによって構成され、第１のリング部の一端から半径方向に凸部が突き出し形成され且つ第２のリング部の一端から半径方向に凸部が突き出し形成されるとともに、第１のリング部側の凸部と第２のリング部側の凸部とが、ヒンジ部を介して連結されるとともに、該第１のリング部の一端と該第２のリングの一端とは密に接合されるように形成され、連結体は、第１のリングの凸部と第２のリングの凸部間に架設されるとともに、該１対の連結体が同形の棒状で１対の連結体の端部に形成されたヒンジ部を介して連結され且つ１対の連結体間のヒンジ部が、第１のリング部および第２のリング部より突き出し形成された凸部間のヒンジ部と連続するように形成され、第１のリング部の他端と第２のリング部の他端には突き合わせ部が形成され、該突き合わせ部は、該第１のリング部の他端と該第２のリング部の他端とが密に接合されるように形成され且つ該突き合わせ部には固定部が形成され、固定部は、第１のリング部と第２のリング部のうち一方に嵌合孔が形成され且つ他方に嵌合凸部が形成されてなり、突き合わせ部には、第１のリングおよび／または第２のリングを開けるときに容易に開けることができるようにするための凹部および／または突起部が形成され、第１のリングと第２のリング、第１のリング部と第２のリング部間に形成されたヒンジ部および第１のリングと第２のリングとを連結する連結体が、合成樹脂で一体成形され、第１のリング部と第２のリング部とを、ヒンジ部を中心として回動することにより、第１のリング部の端部と第２のリング部の端部の突き合わせ部が接離することによって、開閉されるように構成された、請求項１または請求項２に記載の綴じ具である。
【０００６】
【作用】
この考案によれば、被綴じ物に形成された２穴に対応して、第１のリングと第２のリングとが間隔をおいて互いに平行を保つ状態にて連結体に連設されているので、第１のリングおよび第２のリングに綴じられた書類等の被綴じ物がリングに沿ってスムーズに移動する。
また、第１のリングと第２のリングを構成する一方のリング部と他方のリング部とは、一方のリング部に開閉自在にヒンジ部を介して他方のリング部が連設されているので、綴じ穴を開けた書類等の被綴じ物の綴じ穴にリングを嵌挿するときには、ヒンジ部を中心にリングを開けることができ、また、リング内に綴じ穴を開けた書類等の被綴じ物を綴じた後は、一方のリング部と他方のリング部とがヒンジ部とは反対側の先端において離れていた状態から閉じることができる。
【０００７】
この考案の上述の目的、その他の目的、特徴および利点は、図面を参照して行う以下の考案の実施の形態の詳細な説明から一層明らかとなろう。
【０００８】
【考案の実施の形態】
図１は、この考案の一実施の形態である２穴リング綴じ具の斜視図であり、図２は、図１図示２穴リング綴じ具の平面図であり、図３は、図１図示２穴リング綴じ具の正面図であり、図４は、図１図示２穴リング綴じ具の側面図であり、図５は、図１図示２穴リング綴じ具の断面図であり、図６は、図１図示２穴リング綴じ具の要部の斜視図であり、図７は、図１図示２穴リング綴じ具の要部の斜視図である。
【０００９】
この２穴リング綴じ具１０は、８０ｍｍピッチの２穴の綴じ穴を開けた書類等の被綴じ物に形成された２穴にリングを嵌挿して綴じるように構成されたもので、この２穴リング綴じ具１０は、綴じ穴に嵌挿される第１のリング１２と第２のリング１４とが、２穴の綴じ穴の間隔（８０ｍｍ）に対応して一定の適宜な間隔をおき且つ第１のリングのサイド１６と第２のリングのサイド１８とが互いに平行を保つ状態において、連結体２０によって連結されている。
【００１０】
第１のリング１２と第２のリング１４は、略々同一形状で、綴じ穴の直径よりは若干短い幅を有する断面方形の帯状で円筒状に形成されている。そして、第１のリング１２と第２のリング１４とはいずれも、円筒状のリングが直径部分において真っ二つに分割された半環状の第１のリング部２２ともう一方の第２のリング部２４とから構成され、第１のリング部２２の一端と第２のリング部２４の一端とは密に接合されるように形成され、また第１のリング部２２の他端と第２のリング部２４の他端とは密に接合されるように形成されている。
【００１１】
第１のリング１２と第２のリング１４とは、半径方向に同一幅の凸部２６および同一幅の凸部２８が突き出し形成されている。
すなわち、第１のリング１２を構成する第１のリング部２２の一端から半径方向に第１のリング部２２と同一幅の第１の凸部２６ａが突き出し形成され、且つもう一方の第２のリング部２４の一端から半径方向に同一幅の第２の凸部２６ｂが突き出し形成されている。
また、第２のリング１４を構成する第１のリング部２２の一端から半径方向に第１のリング部２２と同一幅の第１の凸部２８ａが突き出し形成され、且つもう一方の第２のリング部２４の一端から半径方向に同一幅の第２の凸部２８ｂが突き出し形成されている。
【００１２】
前記第１のリング１２側の凸部２６と第２のリング１４側の凸部２８とは、いずれもヒンジ部３０およびヒンジ部３２を介して連結されている。
ヒンジ部３０およびヒンジ部３２は、凸部２６を構成する第１の凸部２６ａと第２の凸部２６ｂおよび凸部２８を構成する第１の凸部２８ａと第２の凸部２８ｂとはその厚みが異なり、若干薄肉に形成されており、第１のリング部２２と第２のリング部２４とがヒンジ部３０およびヒンジ部３２を中心にして開閉することができるように構成されている。
【００１３】
そして、第１のリング１２の凸部２６のうち第１のリング部２２に連続して形成された第１の凸部２６ａと、第２のリング１４の凸部２８のうち第１のリング部２２に連続して形成された第１の凸部２８ａとを連結し、且つ第１のリング１２と第２のリング１４の平行を保つため、すなわち、第１のリング１２のサイド１６と第２のリング１４のサイド１８とが平行を保つように、角柱状の連結体２０が架設され、第１のリング１２と第２のリング１４とを一定の間隔をおいて連結している。
【００１４】
第１のリング１２と第２のリング１４とは、第１のリング１２の凸部２６および第２のリング１４の凸部２８が形成された端部とは反対側の先端部（自由端）に、第１のリング部２２と第２のリング部２４とを突き合わせ所定の環状を形成するように突き合わせ部３４が形成され、前記突き合わせ部３４は、第１のリング部２２の先端と第２のリング部２４の先端とが密に接合されている。
第１のリング部２２と第２のリング部２４の先端の突き合わせ部３４には、固定部３６が形成され、突き合わせ部３４に形成された固定部３６は、嵌合孔３８と嵌合凸部４０とから構成され、嵌合孔３８と嵌合凸部４０とを嵌合固定して第１のリング部２２と第２のリング部２４とにより環状を形成するように構成されている。
すなわち、第１のリング部２２の突き合わせ部３４には嵌合孔３８が形成され、且つ第２のリング部２４の先端の突き合わせ部３４には嵌合凸部４０が形成されている。
嵌合孔３８は、第１のリング部２２の内周縁に開口する断面円弧状に形成されている。
嵌合凸部４０は、突き合わせ部３４より棒状のくびれ部４０ａが形成され、その先端に球状部４０ｂが形成されている。
【００１５】
第２のリング部２４の突き合わせ部３４には、第１のリング１２および第２のリング１４を開けるときに比較的開き易くするために、爪等を引っ掛ける引掛部４２が形成されている。引掛部４２は、第２のリング部２４の突き合わせ部３４からＬ字形に切り欠き形成されている。
したがって、第１のリング部２２と第２のリング部２４の突き合わせ部３４を突き合わせたとき、人の爪等が入る凹部（隙間）が引掛部４２によって形成される。また、引掛部４２は、第１のリング部２２および第２のリング部２４の外周面上であって突き合わせ部３４近傍に形成された突起部（図示せず）でもよい。
【００１６】
次に、この考案の第２の実施形態である２穴リング綴じ具について説明する。図８は、この考案の他の実施の形態である２穴リング綴じ具の斜視図であり、図９は、図８図示２穴リング綴じ具の平面図であり、図１０は、図８図示２穴リング綴じ具の正面図であり、図１１は、図８図示２穴リング綴じ具の側面図であり、図１２は、図８図示２穴リング綴じ具の要部の斜視図であり、図１３は、図８図示２穴リング綴じ具の要部の斜視図である。
【００１７】
この２穴リング綴じ具１１０は、第１のリング１１２と第２のリング１１４とを備え、第１のリング１１２および第２のリング１１４を構成する第１のリング部１２２の一端から半径方向に第１の凸部１２６ａおよび第２の凸部１２８ａが突き出し形成され、且つ第２のリング部１２４の一端から半径方向に第１の凸部１２６ｂおよび第２の凸部１２８ｂが突き出し形成されている。
そして、前記第１のリング１１２の第１の凸部１２６ａと第２のリング１１４の第１の凸部１２８ａ間に、連結体１２０が架設されている。そして、連結体１２０を構成する１対の第１の連結体１２０ａおよび第２の連結体１２０ｂは同形の棒状で、１対の第１の連結体１２０ａおよび第２の連結体１２０ｂの端部に形成されたヒンジ部１５０を介して連結され、且つ第１のリング部１２２より突き出し形成された第１の凸部１２６ａと第２の凸部１２６ｂ間および第２のリング部１２４より突き出し形成された第１の凸部１２８ａと第２の凸部１２８ｂ間のヒンジ部１３０およびヒンジ部１３２と１対の連結体間のヒンジ部１５０とが連続するように形成されている。
【００１８】
前記第１の実施の形態である２穴リング綴じ具１０と第２の実施の形態である２穴リング綴じ具１１０のいずれもが、第１のリング１２，１１２と第２のリング１４，１１４、第１のリングと第２のリング間に形成されたヒンジ部３０，３２，１３０，１３２および第１のリングと第２のリングとを連結する連結体２０，１２０が合成樹脂で一体成形されている。
【００１９】
この２穴リング綴じ具１０，１１０は、図１４ないし図１６に示すように、８０ｍｍピッチの２穴の綴じ穴を開けた書類、ポケットファイル台紙、はがき等のような被綴じ物の２穴の綴じ穴に、第１のリング１２，１１２および第２のリング１４，１１４を開けて嵌挿し、綴じることによって簡単に被綴じ物を綴じることができ、しかも書類等の被綴じ物を閲覧するときには、第１のリングおよび第２のリングに沿って被綴じ物を回転させてめくり、めくられた箇所を見ることができる。
【００２０】
【考案の効果】
この考案によれば、綴じ穴を開けた書類等の被綴じ物を簡単に綴じることができ、しかも、被綴じ物がスムースにリングに沿って回転して閲覧し易い。
【図面の簡単な説明】
【図１】この考案の一実施の形態である２穴リング綴じ具の斜視図である。
【図２】図１図示２穴リング綴じ具の平面図である。
【図３】図１図示２穴リング綴じ具の正面図である。
【図４】図１図示２穴リング綴じ具の側面図である。
【図５】図１図示２穴リング綴じ具の断面図である。
【図６】図１図示２穴リング綴じ具の要部の斜視図である。
【図７】図１図示２穴リング綴じ具の要部の斜視図である。
【図８】この考案の他の実施の形態である２穴リング綴じ具の斜視図である。
【図９】図８図示２穴リング綴じ具の平面図である。
【図１０】図８図示２穴リング綴じ具の正面図である。
【図１１】図８図示２穴リング綴じ具の側面図である。
【図１２】図８図示２穴リング綴じ具の要部の斜視図である。
【図１３】図８図示２穴リング綴じ具の要部の斜視図である。
【図１４】２穴リング綴じ具の利用方法を示す図解図である。
【図１５】２穴リング綴じ具の利用方法を示す図解図である。
【図１６】２穴リング綴じ具の利用方法を示す図解図である。
【符号の説明】
１０，１１０　２穴リング綴じ具
１２，１１２　第１のリング
１４，１１４　第２のリング
１６　第１のリングのサイド
１８　第２のリングのサイド
２０，１２０　連結体
１２０ａ　第１の連結体
１２０ｂ　第２の連結体
２２，１２２　第１のリング部
２４，１２４　第２のリング部
２６　第１のリングの凸部
２６ａ，１２６ａ　第１の凸部
２６ｂ，１２６ｂ　第２の凸部
２８　第２のリングの凸部
２８ａ，１２８ａ　第１の凸部
２８ｂ，１２８ｂ　第２の凸部
３０，３２，１３０，１３２　ヒンジ部
３４　突き合わせ部
３６　固定部
３８　嵌合孔
４０　嵌合凸部
４０ａ　くびれ部
４０ｂ　球状部
４２　引掛部
１５０　連結体間のヒンジ部
【図１】
0003097109.tif 000003
【図２】
0003097109.tif 000004
【図３】
0003097109.tif 000005
【図４】
0003097109.tif 000006
【図５】
0003097109.tif 000007
【図６】
0003097109.tif 000008
【図７】
0003097109.tif 000009
【図８】
0003097109.tif 000010
【図９】
0003097109.tif 000011
【図１０】
0003097109.tif 000012
【図１１】
0003097109.tif 000013
【図１２】
0003097109.tif 000014
【図１３】
0003097109.tif 000015
【図１４】
0003097109.tif 000016
【図１５】
0003097109.tif 000017
【図１６】
0003097109.tif 000018